(57)【要約】【課題】  本発明の課題は、センサが検出した情報に基づいて判定した緊急事態を、緊急事態の緊急度に適した任意の通知形態により、ユーザに通知する通知装置、通知方法、通知装置に用いるプログラムおよび通知装置の集積回路を提供することである。【解決手段】  本発明の通知装置は、センサ２３０が検出した情報に基づいて判定した緊急事態を通知する通知装置２６０であって、前記センサ２３０が検出した情報を取得する第１取得部と、前記第１取得部により取得した前記情報に基づいて判定した緊急事態の緊急度を取得する第２取得部と、前記第２取得部により取得した前記緊急度に対応する、前記緊急事態を通知する通知形態を選択する選択部と、前記選択部により選択した前記通知形態により前記緊急事態を通知する通信装置２５０と、を備えるものである。【選択図】  図１
2006024002.tif 000002
【特許請求の範囲】
【請求項１】
センサが検出した情報に基づいて判定した緊急事態を通知する通知装置であって、
前記センサが検出した情報を取得する第１取得手段と、
前記第１取得手段により取得した前記情報に基づいて判定した緊急事態の緊急度を取得する第２取得手段と、
前記第２取得手段により取得した前記緊急度に対応する、前記緊急事態を通知する通知形態を選択する選択手段と、
前記選択手段により選択した前記通知形態により前記緊急事態を通知する通知手段と、
を備える通知装置。
【請求項２】
前記緊急度と前記通知形態との対応関係を記憶する記憶手段を備え、
前記選択手段は、前記対応関係を参照し、前記第２取得手段により取得した前記緊急度に対応する前記通知形態を選択する請求項１記載の通知装置。
【請求項３】
前記対応関係を設定する設定手段を備える請求項２記載の通知装置。
【請求項４】
前記第１取得手段は、少なくとも前記センサが検出した、温度、音量、画像、または、所定ボタンの押下を含む、情報を取得することを特徴とする請求項１から３のいずれかに記載の通知装置。
【請求項５】
前記通知形態は、非同期通信を利用した通知形態を含む請求項１から４のいずれかに記載の通知装置。
【請求項６】
前記通知形態は、電子メールを含む請求項５記載の通知装置。
【請求項７】
前記通知形態は、同期通信を利用した通知形態を含む請求項１から６のいずれかに記載の通知装置。
【請求項８】
前記通知形態は、音声通信またはＴＶ電話を含む請求項７記載の通知装置。
【請求項９】
前記選択手段は、映像を含む、前記通知形態を選択する請求項１から８のいずれかに記載の通知装置。
【請求項１０】
センサが検出した情報に基づいて判定した緊急事態を通知する通知方法であって、
前記センサが検出した情報を取得する第１の取得ステップと、
前記第１の取得ステップで取得した前記情報に基づいて判定した緊急事態の緊急度を取得する第２の取得ステップと、
前記第２の取得ステップで取得した前記緊急度に対応する、前記緊急事態を通知する通知形態を選択する選択ステップと、
前記選択ステップで選択した前記通知形態により前記緊急事態を通知する通知ステップと、
を有する通知方法。
【請求項１１】
センサが検出した情報に基づいて判定した緊急事態を通知することをコンピュータに実行させるためのプログラムであって、
前記センサが検出した情報を取得する第１の取得ステップと、
前記第１の取得ステップで取得した前記情報に基づいて判定した緊急事態の緊急度を取得する第２の取得ステップと、
前記第２の取得ステップで取得した前記緊急度に対応する、前記緊急事態を通知する通知形態を選択する選択ステップと、
前記選択ステップで選択した前記通知形態により前記緊急事態を通知する通知ステップと、
をコンピュータに実行させるためのプログラム。
【請求項１２】
請求項１から７のいずれかに記載の通知装置を構成する回路を搭載した集積回路。
【発明の詳細な説明】
【技術分野】
【０００１】
本発明は、センサが検出した情報に基づいて判定した緊急事態を遠隔地にいるユーザに通知する通知装置、通知方法、通知装置に用いるプログラムおよび集積回路に関する。
【背景技術】
【０００２】
近年、セキュリティに対する関心が高まっており、企業や団体に限らず、個人のセキュリティ環境の整備に対するニーズも高まってきている。それに伴い、セキュリティ産業が盛んになり、様々なセキュリティシステムが開発、提案されている。
【０００３】
特に、インターネットの常時接続にみられるネットワーク環境の整備に伴い、ネットワークを利用したセキュリティシステムが、個人単位で普及してきている。また、高度な機能を搭載した通信端末を利用して、遠隔地のユーザに緊急事態を通知するセキュリティシステムも開発、提案されており、ネットワークを利用したセキュリティシステムの多様化も同時に進行してきている。
【０００４】
通信端末を利用したセキュリティシステムの一例をあげると、通信装置が、センサが検出した情報に基づいて判定した緊急事態を、ＴＶ電話を使って遠隔地にいるユーザの通信端末に通知するものや、動画付きメールを使って遠隔地にいるユーザの通信端末に通知するものなどが存在する。（例えば、特許文献１参照）。
【０００５】
また、同一環境に複数のセンサを設置し、センサが検出した情報に基づいて判定した緊急事態を、センサごとに通知形態の異なる通信装置によりユーザに通知するセキュリティシステムも存在する（例えば、特許文献２参照）。このセキュリティシステムにより、一つ通知形態が使用不可となった場合も別の通知形態によりセンサが検出した情報をユーザに通知することができる。
【特許文献１】特開平５−２８４２４７号公報
【特許文献２】特開２００２−１１７４７０号公報
【発明の開示】
【発明が解決しようとする課題】
【０００６】
しかし、上述のセキュリティシステムでは、センサが検出した情報に基づいて判定した緊急事態を遠隔地にいるユーザの通信端末に通知する通知形態が固定されており、緊急事態の緊急度に適した通知形態で通知されていない場合がある。
【０００７】
例えば、緊急事態を常にメールで通知する通知装置では、ユーザが所有する通信端末によってはメールを受信するまでに時間がかかり、ユーザの緊急事態への対応が遅れてしまう可能性がある。また、緊急事態を常にＴＶ電話で通知する通知装置では、通信コストが高くなり易く、ユーザに経済的な負担を強いることになる。
【０００８】
具体的には、一人暮らしの老人の家に設置したセキュリティシステムにおいて、緊急事態を常にメールで通知する場合、パケット通信を利用するメールではメールサーバや受信側の通信端末の状況によってユーザへの受信が遅れることがある。緊急事態が老人の危機的状況を通知する内容だった場合、ユーザがメールを受信するまでに遅延時間が発生することは、その危機的状況を悪化させることになりかねない。
【０００９】
本発明は、上記事情に鑑みなされたもので、センサが検出した情報に基づいて判定した緊急事態を、緊急事態の緊急度に適した任意の通知形態により、ユーザに通知する通知装置、通知方法、通知装置に用いるプログラムおよび通知装置の集積回路を提供することを目的とする。
【課題を解決するための手段】
【００１０】
本発明の通知装置は、センサが検出した情報に基づいて判定した緊急事態を通知する通知装置であって、前記センサが検出した情報を取得する第１取得手段と、前記第１取得手段により取得した前記情報に基づいて判定した緊急事態の緊急度を取得する第２取得手段と、前記第２取得手段により取得した前記緊急度に対応する、前記緊急事態を通知する通知形態を選択する選択手段と、前記選択手段により選択した前記通知形態により前記緊急事態を通知する通知手段と、を備えるものである。
【００１１】
従来の通知装置は、センサが検出した情報に基づいて緊急事態を判定した場合、その緊急事態の情報を遠隔地にいるユーザに通知する通知形態が固定されていたため、緊急事態の緊急性に適した通知形態で緊急事態の情報を通知できない場合があった。この構成によれば、緊急事態の緊急性に適した任意の通知形態により緊急事態の情報をユーザに通知するため、ユーザは効果的に緊急事態の情報を知ることができる。
【００１２】
また、本発明の通知装置は、前記緊急度と前記通知形態との対応関係を記憶する記憶手段を備え、前記選択手段が、前記対応関係を参照し、前記第２取得手段により取得した前記緊急度に対応する前記通知形態を選択するものを含む。
【００１３】
この構成によれば、予め記憶した、緊急事態の緊急性とその緊急事態を通知する通知形態との対応関係に基づいて、緊急事態の緊急性に応じた通知形態を選択するため、緊急事態の緊急性に適した通知形態を迅速に選択することができる。
【００１４】
また、本発明の通知装置は、前記対応関係を設定する設定手段を備えるものを含む。
【００１５】
この構成によれば、ユーザは、緊急事態の緊急性に応じた、その緊急事態を通知する通知形態を予め設定することができるため、ユーザにとって利用し易い通知形態を設定することができる。
【００１６】
また、本発明の通知装置は、前記第１取得手段が、少なくとも前記センサが検出した、温度、音量、画像、または、所定ボタンの押下を含む、情報を取得するものを含む。
【００１７】
この構成によれば、細分化された緊急事態の緊急性に適した任意の通知形態により緊急事態の情報をユーザに通知するため、ユーザは効果的に緊急事態の情報を知ることができる。
【００１８】
また、本発明の通知装置は、前記通知形態が、非同期通信を利用した通知形態を含む。
【００１９】
また、本発明の通知装置は、前記通知形態が、電子メールを含む。
【００２０】
この構成によれば、電子メールなどの非同期通信により緊急事態をユーザに通知するため、緊急事態をデータ量の少ないテキスト、静止画で通知することで、緊急事態の通知にかかる通信コストを抑えることができる。
【００２１】
また、本発明の通知装置は、前記通知形態が、同期通信を利用した通知形態を含む。
【００２２】
また、本発明の通知装置は、前記通知形態が、音声通信またはＴＶ電話を含む。
【００２３】
この構成によれば、電話回線などの即時性の高い同期通信により緊急事態をユーザに通知するため、緊急事態がユーザに通知されるまでに発生する遅延時間を抑えることができる。
【００２４】
また、本発明の通知装置は、前記選択手段が、映像を含む。
【００２５】
この構成によれば、映像通信により緊急事態をユーザに通知するため、ユーザは視覚的に緊急事態を確認することができ、その緊急事態に適切に対応することができる。
【００２６】
本発明の通知方法は、センサが検出した情報に基づいて判定した緊急事態を通知する通知方法であって、前記センサが検出した情報を取得する第１の取得ステップと、前記第１の取得ステップで取得した前記情報に基づいて判定した緊急事態の緊急度を取得する第２の取得ステップと、前記第２の取得ステップで取得した前記緊急度に対応する、前記緊急事態を通知する通知形態を選択する選択ステップと、前記選択ステップで選択した前記通知形態により前記緊急事態を通知する通知ステップと、を有するものである。
【００２７】
本発明のプログラムは、センサが検出した情報に基づいて判定した緊急事態を通知することをコンピュータに実行させるためのプログラムであって、前記センサが検出した情報を取得する第１の取得ステップと、前記第１の取得ステップで取得した前記情報に基づいて判定した緊急事態の緊急度を取得する第２の取得ステップと、前記第２の取得ステップで取得した前記緊急度に対応する、前記緊急事態を通知する通知形態を選択する選択ステップと、前記選択ステップで選択した前記通知形態により前記緊急事態を通知する通知ステップと、をコンピュータに実行させるためのものである。
【００２８】
本発明の集積回路は、本発明の通知装置を構成する回路を搭載したものである。
【００２９】
この構成によれば、緊急事態の緊急性に適した任意の通知形態により緊急事態の情報をユーザに通知するため、ユーザは効果的に緊急事態の情報を知ることができる。
【発明の効果】
【００３０】
本発明の通知装置、通知方法、通知装置に用いるプログラムおよび集積回路によれば、センサが検出した情報に基づいて判定した緊急事態を、緊急事態の緊急度に適した任意の通知形態により、ユーザに通知するため、ユーザは効果的に緊急事態の情報を知ることができる。
【００３１】
具体的には、本発明の通知装置は、緊急事態の緊急度が高いものである場合、即時性の高い音声電話によりユーザに通知するため、ユーザが緊急事態を通知されるまでに発生する遅延時間を抑えることができる。また、本発明の通知装置は、緊急事態の緊急度の低いものである場合、パケット交換方式のメール通信によりユーザに通知するため、緊急事態の通知にかかる通信コストを抑えることができる。
【発明を実施するための最良の形態】
【００３２】
本発明の通知装置の実施の形態を、図面を参照しながら詳細に説明する。
【００３３】
図１に、本発明の実施の形態の通知装置を含むセキュリティシステムの概観図を示す。セキュリティシステムは、物や音、温度などを検出するセンサ２３０と、住宅１０１に設置された緊急通知装置２６０と、ユーザ１０２が所持している遠隔地の携帯電話１０３とを含んで構成されている。
【００３４】
緊急通知装置２６０は、センサ２３０から入力された情報に基づいて判定した緊急事態をユーザに通知するよう制御する制御部２００と、メール通信や音声電話、ＴＶ電話などの複数の通信形態を含む通信網１０４により緊急事態をユーザに通知する通信装置２５０と、ユーザが緊急通知装置２６０の機能を設定する入力ボタン２４０とを含んで構成される。センサ２３０および入力ボタン２４０はその目的から、住宅１０１内に設置する必要があるが、制御部２００、通信装置２５０は、センサ２３０および入力ボタン２４０に有線または無線により接続されていれば良く、必ずしも、住宅１０１内にある必要はない。
【００３５】
次に、緊急通知装置２６０のハードウェア構成について、図２に示す本発明の実施の形態の通知装置のハードウェア構成図を参照して説明する。
【００３６】
ＣＰＵ２０１は、センサ２３０から入力された情報から緊急事態が発生したことを判定し、その緊急事態の緊急度に適した通知形態を選択し、選択した通知形態を選択結果出力部２０９に出力する。ＲＯＭ２０２は、ＣＰＵ２０１が実行するプログラムを記憶し、ＲＡＭ２０３は、そのプログラム実行時に用いられる、発生した緊急事態の緊急度や緊急度に適した通信形態などのデータを記憶する。
【００３７】
選択結果出力部２０９は、ＣＰＵ２０１が選択した通知形態により緊急事態を通知するよう通信装置２５０に指示し、通信装置２５０は、選択された通知形態により通信する旨を遠隔地の携帯電話１０３に通知する。その結果、選択した通知形態により遠隔地の携帯電話１０３と通信することができる。
【００３８】
また、センサ２３０で検出した情報を静止画に変換する静止画コーデック２０４、動画に変換する動画コーデック２０５、音声に変換する音声コーデック２１１がある。なお、上記コーデックはセンサ２３０で検出したデータの変換のみならず、ユーザ１０２との通信によるデータ変換にも使用される。
【００３９】
続いて、緊急通知装置２６０に用いるプログラムの構成について、図３に示す本発明の実施の形態の通知装置のソフトウェア構成図を参照して説明する。
【００４０】
ＲＯＭ２０２に記憶されているプログラムは、センサ情報検出ステップ３００、通知形態選択ステップ３０１、緊急度設定ステップ３０２、緊急度保存ステップ３０３、通知形態出力ステップ３０４を含んで構成される。上記プログラムの動作概要を、図４に示す、本発明の実施の形態の通知装置の処理手順を参照して説明する。
【００４１】
センサ情報検出ステップ３００では、ＣＰＵ２０１がセンサの検出した情報を取得する処理を実行する（Ｓ４０１）。通知形態選択ステップ３０１では、ＣＰＵ２０１がＲＡＭ２０３を参照して、センサの検出した情報から判定した緊急事態の緊急度を取得し（Ｓ４０２）、取得した緊急度に対応する通知形態を選択する処理を実行する（Ｓ４０３）。そして、通知形態出力ステップ３０４では、ＣＰＵ２０１が、選択した通知形態を通信装置２５０に出力する処理を実行する（Ｓ４０４）。
【００４２】
緊急度設定ステップ３０２は、ユーザからの入力を、センサが検出した情報と緊急事態の緊急度との対応関係、及び、緊急度と通知形態との対応関係として設定する処理を実行する。また、緊急度保存ステップ３０３は、緊急度設定ステップ３０２で設定された、センサが検出した情報と緊急事態の緊急度との対応関係、及び、緊急度と通知形態の対応関係を、ＲＡＭ２０３に書き込む処理を実行すると共に、通知形態選択ステップ３０１の読み出し指示に応じて、ＲＡＭ２０３から読み出す処理を実行する。センサが検出した情報と緊急事態の緊急度との対応関係の設定方法、及び、緊急度と通知形態との対応関係の設定方法は、具体的な設定例とともに後述する。
【００４３】
次に、一人暮らしの老人の家に緊急通知装置２６０を設置した場合の利用例について説明する。
【００４４】
まず、緊急度と通知形態との対応関係の設定方法について、図５の本発明の実施の形態の通知装置の通知形態情報テーブルを参照して説明する。緊急通知装置２６０が備える通知形態の種類を、通知形態情報５００の通知形態５２０に設定し、各通知形態の緊急度の値を、緊急度５１０に設定する。緊急度５１０の値は、小さな値ほど緊急度合いが低く、大きな値ほど緊急度合いが高いことを示している。
【００４５】
具体的な設定例を説明する。通知形態データ５３１には、通知形態５２０として「メール」と、緊急度５１０として「１」が設定される。通知形態データ５３２には、通知形態５２０として「写真付きメール」と、緊急度５１０として「２」が設定される。通知形態データ５３３には、通知形態５２０として「動画付きメール」と、緊急度５１０として「３」が設定される。通知形態データ５３４には、通知形態５２０として「ＷＥＢカメラ」と、緊急度５１０として「４」が設定される。通知形態データ５３５には、通知形態５２０として「音声電話」と、緊急度５１０として「５」が設定される。通知形態データ５３６には、通知形態５２０として「ＴＶ電話」と、緊急度５１０として「６」が設定される。
【００４６】
以上のように、一般に緊急度が低い場合は、非同期通信を利用した通知形態を用い、緊急事態をデータ量の少ないテキスト、静止画で通知することで、通信コストを抑えることができる。逆に、緊急度が高い場合は、ＴＶ電話を含む電話回線などの即時性の高い同期通信を利用した通知形態を用いることで、迅速に緊急事態をユーザに知らせることできる。
【００４７】
次に、センサ２３０が検出した情報と緊急度の対応関係の設定方法について、図６の本発明の実施の形態の通知装置のセンサ情報テーブルを参照して説明する。
【００４８】
センサ２３０には、物体の動きを検出する人体センサ、室温を計測できる温度センサ、音量を検出する音声センサ、特定の範囲を撮影できるカメラセンサ、振動を検出する振動センサなどがあり、家の敷居や玄関、トイレや風呂場などに設置することとする。センサ２３０の種類として上記以外の例も適用可能であることは言うまでもない。
【００４９】
センサ２３０が検出する情報の種類を、センサ情報検出ステップ３００によって検出し、センサ情報６００のセンシング結果６２０に設定する。そして、各センシング結果６２０について緊急度６１０を設定する。緊急度の値は、小さな値ほど緊急度合いが低く、大きな値ほど緊急度合いが高いことを示している。この緊急度は上述した通知形態情報５００において設定した緊急度５１０と同一の指標である。
【００５０】
具体的な設定例を説明する。センサ情報データ６３１には、センシング結果６２０として「２時間以内の部屋移動」と、緊急度６１０として「１」が設定される。センサ情報データ６３２には、センシング結果６２０として「３０分間で家の音量が緩やかに増加」と、緊急度６１０として「１」が設定される。センサ情報データ６３３には、センシング結果６２０として「訪問者あり」と、緊急度６１０として「２」が設定される。センサ情報データ６３４には、センシング結果６２０として「外出」と、緊急度６１０として「３」が設定される。センサ情報データ６３５には、センシング結果６２０として「２時間〜３時間の部屋移動なし」と、緊急度６１０として「４」が設定される。センサ情報データ６３６には、センシング結果６２０として「３０分間で家の音量が急激に増加」と、緊急度６１０として「５」が設定される。センサ情報データ６３７には、センシング結果６２０として「３時間以上の部屋移動なし」と、緊急度６１０として「６」が設定される。センサ情報データ６３８には、センシング結果６２０として「３０分間で室温が５度以上の上昇」と、緊急度６１０として「６」が設定される。センサ情報データ６３９には、センシング結果６２０として「通信依頼」と、緊急度６１０として「６」が設定される。
【００５１】
上述の緊急度の値が設定された通知形態情報５００及びセンサ情報６００は、緊急度保存ステップ３０３を実行することでＲＡＭ２０３に格納される。
【００５２】
センサが検出した情報から緊急度を取得する方法について、図７の本発明の通知装置のセンサ情報検出例の概観図を参照して説明する。老人７０１が住宅１０１でＴＶ７０２を見ている状況において、緊急通知装置２０６は、音声センサ７０４からＴＶ７０２の音量が増加している音量情報を入力されているとする。緊急通知装置２０６は、例えば、音声センサ７０４から、ＴＶ７０２の音量が緩やかに増加し、３０分間でその音量が＋１０ｄＢ増加している音量情報を入力されているとすると、この入力された音量情報を事前に設定したセンサ情報６００の「３０分間で家の音量が緩やかに増加」に該当するセンシング結果６３２と判定する。その結果、センシング結果６３２に対応する緊急度６１０「１」を参照して、緊急度６１０「１」を取得し、緊急度「１」の緊急事態として判断する。また、画面２２０に表示したＴＶ７０２の音量の推移のように、ＴＶ７０２の音量がグラフ上で角度＋１５度の傾きをもって増加した音量情報を、事前に設定したセンサ情報６００の「音量が時間当たり＋１５度増加」に該当するセンシング結果６２０と判定するようにしてもよい。
【００５３】
また別の例では、老人７０１の住宅１０１に設置されたスピーカ７０３から、ある時間に大音量のアラーム音が発生したとする。緊急通知装置２０６は、音声センサ７０４からスピーカ７０３の音量が急激に増加している音量情報を入力されているとする。緊急通知装置２０６は、例えば、スピーカ７０３の音量が急激に増加し、３０分間で音量が＋５０ｄＢ増加している音量情報を入力されているとすると、この入力された音量情報を事前に設定したセンサ情報６００の「３０分間で家の音量が急激に増加」に該当するセンシング結果６３６と判定する。その結果、センシング結果６３６に対応する緊急度６１０「５」を参照して、緊急度６１０「５」を取得し、緊急度「５」の緊急事態として判断する。画面２２０に表示したスピーカ７０３の音量の推移のように、スピーカ７０３の音量がグラフ上で角度＋４５°の傾きをもって増加した音量を、事前に設定したセンサ情報６００の「音量が時間当たり＋４５°増加」に該当するセンシング結果６２０と判定するようにしてもよい。
【００５４】
次に、上述の方法により取得した緊急度から通知形態を選択する方法について具体的に説明する。
【００５５】
センサが検出した情報が「２時間以内の部屋移動」の場合、センサ情報データ６３１の緊急度６１０は「１」に設定されているので、通知形態データ５３１の緊急度５１０が「１」に設定されている通知形態５２０「メール」を選択し、選択結果出力部２０９に伝える。選択結果出力部２０９は、通知形態を「メール」として、通信装置２１０に出力する。センサ情報データ６３１に「１」を設定した理由は、２時間以内の部屋移動は日常の行動のため、緊急事態と考え難いことから設定した。送信形式は、図８に示す、テキストの電子メールの表示画面におけるメール８００のような形式であり、テキスト８０１により構成されている。センサが検出した情報の緊急度が低い場合、非同期通信を利用したメール通信により緊急事態をユーザに通知するため、ユーザは通信コストを抑えることができる。
【００５６】
また、センサが検出した情報が、「訪問者あり」の場合、センサ情報データ６３３の緊急度６１０は「２」に設定されているので、通知形態データ５３２の緊急度５１０が「２」に設定されている通知形態５２０「写真付きメール」を選択し、選択結果出力部２０９に伝える。選択結果出力部２０９は、通知形態を「写真付きメール」として、通信装置２１０に出力する。センサ情報データ６３３に「２」を設定した理由は、訪問者が来たという情報を伝達するときに訪問者の写真があれば、訪問者が誰なのか認識し易いことから設定した。送信形式は、図９に示す、静止画を含む電子メールの表示画面におけるメール９００のような形式であり、テキスト９０１に加え、より情報量の多い静止画９０２を含んで構成されている。センサが検出した情報の緊急度がそれほど高くない場合、非同期通信を利用したメール通信によりその緊急事態の静止画像をユーザに通知することで、ユーザは通信コストを抑えつつ、その緊急事態の状況を視覚的に知ることができる。
【００５７】
また、センサが検出した情報が、「外出」の場合、センサ情報データ６３４の緊急度６１０は「３」に設定されているので、通知形態データ５３３の緊急度５１０が「３」に設定されている通知形態５２０「動画付きメール」を選択し、選択結果出力部２０９に伝える。選択結果出力部２０９は、通知形態を「動画付きメール」として、通信装置２１０に出力する。センサ情報データ６３４に「３」を設定した理由は、外出したという情報を伝達するときに外出時の動画があれば、外出した人物、もしくは動物が認識できることから設定した。送信形式は、図１０に示す、動画を含む電子メールの表示画面におけるメール１００１と動画ビューア１００２のような形式で、テキスト１００６に加え、静止画より情報量が多い動画１００３で構成されている。
【００５８】
動画１００３の動画閲覧方法は、外出中のユーザ１０２がメール１００１を受信して、動画付きを示すアイコン１００３を選択することで、動画ビューア１００２が起動し、住宅１０１のセキュリティシステムから送信された動画を閲覧することができる。この動画は、停止ボタン１００４、再生ボタン１００５によって制御できる。センサが検出した情報の緊急度がそれほど高くない場合、非同期通信を利用したメール通信によりその緊急事態の動画像をユーザに通知することで、ユーザは通信コストを抑えつつ、その緊急事態の状況を適切に判断することができる。
【００５９】
また、センサが検出した情報が、「２時間〜３時間の部屋移動なし」の場合、センサ情報データ６３５の緊急度６１０は「４」に設定されているので、通知形態データ５３４の緊急度５１０が「４」に設定されている通知形態５２０「ＷＥＢカメラ」を選択し、選択結果出力部２０９に伝える。選択結果出力部２０９は、通知形態を「ＷＥＢカメラ」として、通信装置２１０に出力する。センサ情報データ６３５に「４」を設定した理由は、２時間以上も部屋移動がないことは心配要因であるが、睡眠している可能性もあるので、映像のみのチェックを行うために設定した。送信形式は、図１１のＷＥＢ映像の表示画面に示す、メール１１０１とＷＥＢ映像ビューア１１０２に対するＵＲＬ１１０３を付加した形式である。ＷＥＢカメラ映像の閲覧方法は、外出中のユーザ１０２がメール１１０１を受信して、ＷＥＢカメラ参照先ＵＲＬ１１０３を選択することで、ＷＥＢ映像ビューア１１０２が起動し、住宅１０１のセキュリティシステムから送信されたＷＥＢ映像を閲覧することができる。この映像は、停止ボタン１１０４、再生ボタン１１０５によって制御できる。この結果、非同期通信を利用したＷＥＢ経由の通信により緊急事態の状況を映像でユーザに通知することで、ユーザは通信コストを抑えつつ、リアルタイムで緊急事態の状況を確認することができる。
【００６０】
また、センサが検出した情報が、「３０分間で家の音量が急激に増加」の場合、センサ情報データ６３６の緊急度６１０は「５」に設定されているので、通知形態データ５３５の緊急度５１０が「５」に設定されている通知形態５２０「音声電話」を選択し、選択結果出力部２０９に伝える。選択結果出力部２０９は、通知形態を「音声電話」として、通信装置２１０に出力する。センサ情報データ６３６に「５」を設定した理由は、どんな音が鳴っているかの確認のために音声電話を設定した。電話回線などの即時性の高い同期通信を利用した音声電話により緊急事態をユーザに通知することで、緊急事態を通知されたユーザは迅速に緊急事態に対応することができる。
【００６１】
また、センサが検出した情報が、「老人からの通信依頼」の場合、センサ情報データ６３７の緊急度６１０は「６」に設定されているので、通知形態データ５３６の緊急度５１０が「６」に設定されている通知形態５２０「ＴＶ電話」を選択し、選択結果出力部２０９に伝える。選択結果出力部２０９は、通知形態を「ＴＶ電話」として、通信装置２１０に出力する。センサ情報データ６３７に「６」を設定した理由は、監視対象である老人自らの依頼は緊急事態の可能性が高いため設定した。緊急度５１０が「５」の場合は音声電話のみであったが、より緊急度の高い場合は、即時性が高くかつ視覚的に緊急事態をユーザに伝えることができるＴＶ電話通信により通知することで、ユーザは緊急事態を通知されたユーザは迅速にかつ適切な対応が可能となる。
【００６２】
なお、本発明の通知装置に用いられるプログラムは、通知装置内のＲＯＭに格納され、ＣＰＵにより実行される構成としたが、内部記録メディアである不揮発性メモリ等または、外部記録メディアであるハードディスク等にダウンロードして格納され、ＣＰＵにより実行される構成としてもよい。ダウンロードされるプログラムの例としては、Ｊａｖａ言語により記述されるプログラムが考えられるが、これに限定するものではない。
【００６３】
また、本発明の通知装置は、上述のＣＰＵ、ＲＡＭ、ＲＯＭ等のハードウェア資源との組み合わせにより、集積回路であるＬＳＩとして実現される場合がある。このＬＳＩは、個別に１チップ化されても良いし、一部又はすべてを含むように１チップ化されても良い。
【００６４】
図１２に本発明の実施の形態の通知装置の集積回路の構成例を示す。ＬＳＩ５０００は集積化した回路の一例を示し、集積化した回路の機能ブロックの範囲の例である。ここでは、ＬＳＩとしたが、集積度の違いにより、ＩＣ、システムＬＳＩ、スーパーＬＳＩ、ウルトラＬＳＩと呼称されることもある。  また、集積回路化の手法はＬＳＩに限るものではなく、専用回路又は汎用プロセサで実現してもよい。ＬＳＩ製作後にプログラムすることが可能なＦＰＧＡ(Ｆｉｅｌｄ  Ｐｒｏｇｒａｍｍａｂｌｅ  Ｇａｔｅ  Ａｒｒａｙ)やＬＳＩ内部の回路セルの接続や設定を再構成可能なリコンフィギュラブル・プロセッサーを利用しても良い。さらには、半導体技術の進歩又は派生する別技術によりＬＳＩに置き換わる集積回路化の技術が登場すれば、当然その技術を用いて機能ブロックの集積化を行ってもよい。バイオ技術の適用等が可能性としてありえる。
【産業上の利用可能性】
【００６５】
本発明の通知装置、通知方法、通知装置に用いるプログラム及び通知装置の集積回路は、センサが検出した情報に基づいて判定した緊急事態を、緊急事態の緊急度に適した任意の通知形態により、ユーザに通知するため、ユーザは効果的に緊急事態の情報を知ることができるという効果を有し、センサが検出した情報に基づいて判定した緊急事態を遠隔地にいるユーザに通知することに関して有用である。
【図面の簡単な説明】
【００６６】
【図１】本発明の実施の形態の通知装置を含むセキュリティシステムの概観図
【図２】本発明の実施の形態の通知装置のハードウェア構成図
【図３】本発明の実施の形態の通知装置のソフトウェア構成図
【図４】本発明の実施の形態の通知装置の処理手順
【図５】本発明の実施の形態の通知装置の通知形態情報テーブル
【図６】本発明の実施の形態の通知装置のセンサ情報テーブル
【図７】本発明の実施の形態の通知装置のセンサ情報検出例を示す概観図
【図８】本発明の実施の形態の通知装置が送信する、テキストの電子メールの表示画面
【図９】本発明の実施の形態の通知装置が送信する、静止画を含む電子メールの表示画面
【図１０】本発明の実施の形態の通知装置が送信する、動画を含む電子メールの表示画面
【図１１】本発明の実施の形態の通知装置のＷＥＢ映像の表示画面
【図１２】本発明の実施の形態の通知装置の集積回路の構成例
【符号の説明】
【００６７】
１０１  住宅
１０２  ユーザ
１０３  携帯電話
１０４  通信網
２００  制御部
２３０  センサ
２４０  入力ボタン
２５０  通信装置
２６０  緊急通知装置
３００  センサ情報検出ステップ
３０１  通知形態選択ステップ
３０２  緊急度設定ステップ
３０３  緊急度保存ステップ
３０４  通知形態出力ステップ
【図１】
2006024002.tif 000003
【図２】
2006024002.tif 000004
【図３】
2006024002.tif 000005
【図４】
2006024002.tif 000006
【図５】
2006024002.tif 000007
【図６】
2006024002.tif 000008
【図７】
2006024002.tif 000009
【図８】
2006024002.tif 000010
【図９】
2006024002.tif 000011
【図１０】
2006024002.tif 000012
【図１１】
2006024002.tif 000013
【図１２】
2006024002.tif 000014